(57)【要約】【課題】      点検時間の短縮とともに、作業の安全性を確保することにある。【解決手段】  各階の乗場１に設置される乗場表示器５を昇降路側から点検するエレベータの乗場表示器点検装置であって、昇降路６を上下移動する乗りかご１１の乗場表示器と対向する部位に設けられ常時は点検蓋１６で閉塞されている点検口１５と、この点検口から点検蓋を取り外したことを検出し蓋開信号を出力する蓋開閉検出センサー１７と、この蓋開信号を受けた場合、乗りかごを停止する停止信号を出力するエレベータ制御盤２２と、乗りかご内所要個所の鍵付き点検用ボックス２４内に取り付けられ、エレベータ制御盤からの停止信号による乗りかごの停止後、手動にて乗りかごを上下移動可能とするアップダウンスイッチ２５とを設け、点検蓋１６が開いたとき時に乗りかごを停止させて安全性を確保する一方、アップダウンスイッチにて乗りかごの点検口を該当表示機の点検個所に適切に誘導し、点検を実施するエレベータの乗場表示器点検装置である。【選択図】      図３
2005247454.tif 000002
【特許請求の範囲】
【請求項１】
各階の乗場に設置される乗場表示器を昇降路側から点検するエレベータの乗場表示器点検装置において、
前記昇降路を上下移動する乗りかごの前記乗場表示器と対向する部位に設けられ、常時は点検蓋で閉塞されている点検口と、
前記点検口から前記点検蓋を取り外したことを検出し蓋開信号を出力する蓋開閉検出センサーと、
この蓋開閉検出センサーから蓋開信号を受けた場合、前記乗りかごを停止する停止信号を出力するエレベータ制御盤と、
前記乗りかご内所要個所の鍵付き点検用ボックス内に取り付けられ、前記エレベータ制御盤からの停止信号による乗りかごの停止後、手動にて前記乗りかごを上下移動可能とするアップダウンスイッチとを備えたことを特徴とするエレベータの乗場表示器点検装置。
【請求項２】
請求項１に記載のエレベータの乗場表示器点検装置において、
前記点検蓋としては、その一部又は全部を透明な材料で形成したことを特徴とするエレベータの乗場表示器点検装置。
【請求項３】
請求項１又は請求項２に記載の乗場表示器点検装置において、
前記点検蓋としては、上下方向にスライドするスライド機構によって構成したことを特徴とするエレベータの乗場表示器点検装置。
【請求項４】
請求項１又は請求項２に記載の乗場表示器点検装置において、
前記点検蓋としては、左右何れか一方の端部側をヒンジ機構または蝶番機構を用いて支持するようにしたことを特徴とするエレベータの乗場表示器点検装置。
【請求項５】
請求項１ないし請求項４の何れか一項に記載のエレベータの乗場表示器点検装置において、
前記乗りかごの前記乗場表示器と対向する部位の外面側に塞ぎ板が設けられ、当該乗りかごの前記塞ぎ板よりも内側に回動側板が設けられている場合、前記塞ぎ板側に常時は点検蓋で閉塞されている点検口を設け、前記回動側板を閉じた時、当該点検口を含む点検蓋が前記乗りかご内から見えない状態としたことを特徴とするエレベータの乗場表示器点検装置。
【発明の詳細な説明】
【技術分野】
【０００１】
本発明は、各階の乗場に設置される乗場表示器を昇降路側から点検するエレベータの乗場表示器点検装置に関する。
【背景技術】
【０００２】
一般に、エレベータでは、図７及び図８に示すように、建物の所要場所に乗りかご５１を上下移動させるための昇降路５２が形成され、昇降路５２と各階の乗場５３とは乗場ドア５４により仕切られている。各階の乗場ドア５４の近傍壁部分には乗りかご５１の現在かご位置を表示し、或いは乗場ボタンの操作による乗場呼び登録の状態を表示するなどの表示器５５が一体的又は個別的に取り付けられている。この表示器５５は、昇降路５２側から乗場ドア５４の近傍壁部分に必要な部分だけ露見し所要とする情報を表示する形態をとっている場合、表示器５５は昇降路側から点検する必要がある。なお、表示器５５の保守点検とは、例えばＬＥＤ素子の交換、ランプの配線不具合、ランプの故障による交換、設置機器の各種の不具合などが挙げられる。５６はメインロープ、５７はつり合いおもりである。
【０００３】
そこで、従来、昇降路側から表示器５５を保守点検するに際し、幾つかの点検技術が考えられている。
【０００４】
その１つは、図７に示すように、保守点検員５８が乗りかご上部に乗り、或いはピット５９から梯子６０を立てかけ、梯子６０に昇って表示器５５を点検する。特に、最下階の乗場５３に取り付けられた表示器５５の点検は、ピット５９に降り、梯子６０を立てかけるなどし、最下階以外の乗場５３とは異なる点検方法が行われている。
【０００５】
他の１つは、昇降路内に設置されるエレベータ制御盤の保守点検に際し、エレベータ制御盤と対向する乗りかごの側板部位側に錠付き点検扉を取り付け、保守点検時に錠を解錠し、点検扉を開けることにより、保守点検が行われている（特許文献１）。
【特許文献１】特開２００１−１０６４５９号公報
【発明の開示】
【発明が解決しようとする課題】
【０００６】
ところで、昇降路側から対象機器を保守点検する２つの技術のうち、前者の保守点検技術は、保守点検員５８が乗りかご上部に乗って階床を順番に移動しながら表示器５５を点検するので、かご周りの機器との接触や乗りかご上部からの転落などの危険がある。また、最下階の場合、ピット５９に降りて梯子６０を立てかけるなど、他階の点検方法とは異なる点検を行うことから、保守点検時の作業性が悪く、安全面からも問題がある。
【０００７】
また、後者の保守点検技術は、保守点検員が鍵を用いて点検扉の錠を解錠すれば、自由に点検扉を開閉できるが、乗りかごやエレベータ制御盤との連係がとられておらず、非常に危険な状態が考えられ、安全面に配慮されていない問題がある。
【０００８】
本発明は上記事情に鑑みてなされたもので、点検時間の短縮とともに、作業の安全性を確保するエレベータの乗場表示器点検装置を提供することを目的とする。
【課題を解決するための手段】
【０００９】
（１）  上記課題を解決するために、各階の乗場に設置される乗場表示器を昇降路側から点検する本発明に係るエレベータの乗場表示器点検装置は、前記昇降路を上下移動する乗りかごの前記乗場表示器と対向する部位に設けられ、常時は点検蓋で閉塞されている点検口と、前記点検口から前記点検蓋を取り外したことを検出し蓋開信号を出力する蓋開閉検出センサーと、この蓋開閉検出センサーから蓋開信号を受けた場合、前記乗りかごを停止する停止信号を出力するエレベータ制御盤と、前記乗りかご内所要個所の鍵付き点検用ボックス内に取り付けられ、前記エレベータ制御盤からの停止信号による乗りかごの停止後、手動にて前記乗りかごを上下移動可能とするアップダウンスイッチとを設けた構成である。
【００１０】
この発明は以上のような構成とすることにより、保守点検員を含んで乗りかごに乗車している者が点検口の点検蓋を開けると、蓋開閉検出センサーから自動的に蓋開信号をエレベータ制御盤に送出するので、当該エレベータ制御盤は蓋開信号に基づいて乗りかごを停止する。従って、点検蓋の開閉とエレベータ制御盤との連係がとれているので、エレベータの運行上の安全性を確保できる。
【００１１】
さらに、保守員に限り、点検用ボックスの鍵を開錠すれば、アップダウンスイッチにて乗りかごを上下方向に移動制御できるので、表示器の最適な点検位置に乗りかごの点検口を設定することが可能となり、保守点検作業の益々の安全性を確保できるとともに、乗りかご内から各階の乗場全部の表示器の点検が可能となり、作業時間の短縮を図ることができる。
【００１２】
なお、点検蓋の一部又は全部を透明な材料で形成すれば、乗りかご内から点検蓋を通して表示器の位置を確認しながら運転制御できるので、点検蓋を取外すことなく、アップダウンスイッチを操作しながら最適な点検位置に乗りかごを停止でき、より安全性を高めることができる。
【００１３】
さらに、点検蓋としては、上下方向にスライドするスライド機構によって構成すれば、表示器の点検時に点検蓋を手に持ったり、乗りかごのかご床に置く必要がなくなり、点検時の作業性が向上し、また床に置いた時の点検蓋の傷発生を未然に回避することが可能である。なお、点検蓋として、左右何れか一方の端部側をヒンジ機構または蝶番機構を用いて支持する場合も、スライド機構によって構成した場合と同様の作用効果を奏することができる。
【００１４】
（２）  また、本発明は、以上のようなエレベータの乗場表示器点検装置において、乗りかごの前記乗場表示器と対向する部位の外面側に塞ぎ板が設けられ、当該乗りかごの前記塞ぎ板よりも内側に回動側板が設けられている場合、前記塞ぎ板側に常時は点検蓋で閉塞されている点検口を設け、前記回動側板を閉じた時、当該点検口を含む点検蓋が前記乗りかご内から見えない状態とした構成である。
【００１５】
この発明は、以上のような構成とすることにより、回動側板により点検口を含む点検蓋が完全に隠れるので、点検蓋や点検口へのいたづらを防ぐことができ、かご内の意匠を損なうことがなくなり、よって意匠性の向上に寄与する。
【発明の効果】
【００１６】
本発明は、点検時間の短縮とともに、作業の安全性を確保できるエレベータの乗場表示器点検装置を提供できる。
【００１７】
また、本発明は、点検口を含む点検蓋を設けた場合でも意匠性の向上を確保することができる。
【発明を実施するための最良の形態】
【００１８】
以下、本発明の実施の形態について図面を参照して説明する。  
図１ないし図３は本発明に係るエレベータの乗場表示器点検装置の一実施の形態を示す構成図であって、図１は各階乗場から乗場ドア側を見た図、図２は乗場を含んで乗りかごの横断面図、図３は保守点検時の安全制御系を説明する図。
【００１９】
エレベータにおいては、図1に示すように、各階の乗場１にエレベータ利用者の乗降口の骨組みを構成する三方枠２が設けられ、この三方枠２に左右方向に開閉するための乗場ドア３が取付けられている。また、乗場ドア３の左右何れかの近傍壁４には乗りかごの現在かご位置を表示する第1の表示器５ａや乗場呼び登録の状態を表示する乗場ボタンなどの第２の表示器５ｂが取り付けられている。これら表示器５ａ，５ｂは、乗場操作パネルに一体的に取り付けられ、或いは個別的に独立して取り付けられている場合があるので、以下、単に表示器５（５ａ，５ｂ）と呼ぶ。
【００２０】
ところで、以上のような表示器５（５ａ，５ｂ）は、図２に示すごとく昇降路６側から乗場側に露見するように取り付けられているので、何らかの異常時や定期点検時には昇降路６側から保守点検を行う必要がある。なお、図２において、１１は昇降路６内を上下移動する乗りかご、１２は乗りかご正面側の側板、１３はエレベータ利用者による乗りかご１１の乗降口の骨組みを構成するかご出入口枠、１４は左右方向に開閉するかごドアである。
【００２１】
しかして、本発明に係るエレベータの乗場表示器点検装置は、昇降路６側から取り付けた表示器５に対向する乗りかご１１の一側部側板１２の相当部位に保守点検を行うための点検口１５が形成され、この点検口１５には乗りかご１１の内側から塞ぐように点検蓋１６が例えばねじ止めなどにより着脱自在に取り付けられている。
【００２２】
そして、側板１２裏側の点検口１５近傍に点検蓋１６の開閉状態を検出する蓋開閉センサー１７が取り付けられ、点検蓋１６を開けたときに蓋開信号を出力する機能をもっている。なお、蓋開閉センサー１７としては、点検蓋１６の開閉によって受光レベルの変化を検出する発受光素子を用いるとか、或いは例えば点検蓋１６の何れか１つの止めねじの着脱状態を検出するスイッチ、或いは常時は点検蓋１６の裏面に接し、点検蓋１６を開けたときに非接触となる状態を検出するマイクロスイッチなどが用いられている。
【００２３】
図３は保守点検時の安全制御系を説明する図である。
【００２４】
この安全制御系としては、点検蓋１６の開閉状態を検出する蓋開閉センサー１７と、この蓋開閉センサー１７からテールコードを通して送られてくる蓋開信号を受けたとき、保守点検員以外の者のいたずらによる点検蓋開等を考慮し、巻上機２１を介して乗りかご１１を自動的に停止させる機能をもったエレベータ制御盤２２と、保守点検時に乗りかご１１を上下移動操作可能とすかご操作パネル２３の鍵付き点検用ボックス２４内に取り付けられているアップダウンスイッチ２５とによって構成されている。このアップダウンスイッチ２５は、保守点検員のみが点検用ボックス２４の施錠を解錠し、手動にて操作することにより、乗りかご１１を上下方向に移動させることが可能となる。２６はそらせ車、２７はつり合いおもりである。
【００２５】
次に、以上のような安全制御系を備えたエレベータの乗場表示器点検装置の動作について説明する。
【００２６】
異常又は定期点検等によって表示器５を保守点検する場合、保守点検員が該当する乗りかご１１に乗り込んで行き先階ボタンを操作し、表示器５が取り付けられている行き先階に移動させる。この乗りかご１１の移動中又は目的階に停止した後、保守点検員がねじを取り外して点検蓋１６を開けると、蓋開閉センサー１７が点検蓋１６の開放を検出し、蓋開信号を送出する。このとき、エレベータ制御盤２２は、蓋開信号を受けると、現在乗りかご１１が走行中であれば直ちに停止させる制御を行う。この停止制御は、保守点検員以外の者によるいたずらにより点検蓋１６を開けることが考えられ、非常に危険な状態となる為である。
【００２７】
ここで、保守点検員は、保守点検時、鍵を携行して乗りかご１１に乗り込んでいるので、当該鍵を用いて鍵付き点検用ボックス２４を開けた後、アップダウンスイッチ２５を操作し乗りかご１１を上下方向に移動させ、表示器５と点検口１５との位置合せを行う。そして、点検に最適な位置を保った状態で点検口１５から表示器５の点検を行う。
【００２８】
従って、以上のような実施の形態によれば、乗りかご１１の側板１２に常時は点検蓋１６で閉状態とする点検口１５を設け、かつ点検蓋１６の開放時には乗りかごを自動的に停止する構成としたので、保守点検員以外の者が点検蓋１６を開けた場合には乗りかごを自動的に停止するので、危険要因を少なくでき、安全性を確保することができる。一方、保守点検員による点検作業の場合、鍵付き点検用ボックス２４を開けてアップダウンスイッチ２５を操作し乗りかご１１を上下移動させることが可能であるので、乗りかご内から例えば全床階乗場の表示器５の点検作業を実施でき、危険性を回避できるだけでなく、点検作業時間を大幅に短縮できる。
【００２９】
（その他の実施の形態）
（１）  上記実施の形態では、点検蓋１６自体としては不透明な材料を使うことを想定しているが、例えば点検蓋１６の一部又は全部をガラスなどの透明な材料を用いて構成してもよい。このように点検蓋１６を透明な材料で構成にすれば、乗りかご内から表示器５を目視できるので、点検蓋１６を取り外すことなく、かご操作パネル２３の行き先登録ボタンとアップダウンスイッチ２５とを操作しながら、乗りかご１１の点検口１５を表示器５の位置まで移動させることが可能となり、より安全性を高めることができる。
【００３０】
（２）  図４は本発明の他の実施の形態を示すである。  
この実施の形態は、乗りかご１１の側板１２の所要位置に点検口１５を形成する点は図２と同様であるが、特に異なるところは、スライド機構を用いて点検蓋を開閉する構成としたことにある。具体的には、点検口１５の左右両サイドに互いに向き合うように例えば断面コ字型形状のスライド機構３１が設けられ、これら向き合うスライド部材３１間に取手付き点検蓋１６ａがスライド可能に取り付けられている。なお、図示点線部分は取手付き点検蓋１６ａが点検口１５を閉じた状態であり、この状態から取手をもって図示矢印方向に押し下げれば、点検蓋１６ａが図示実線の如く位置に下がり、点検口１５が露見した状態となり、表示器５の点検作業を行うことが可能となる。
【００３１】
また、点検蓋１６ａ近傍の側板１２又は左右何れかのスライド機構３１に蓋開閉センサー１７を取り付け、点検蓋１６ａを図示矢印方向に下げた時、蓋開閉センサー１７が点検蓋１６の開放を検出し、蓋開信号をエレベータ制御盤２２に送出する構成となっている。このエレベータ制御盤２２は前述するように蓋開閉センサー１７から蓋開信号を受けると、乗りかごを直ちに停止するように制御する。
【００３２】
従って、このような実施の形態によれば、点検蓋１６ａがスライド機構３１による可動式となっているので、図２に示すように点検時に点検蓋１６を手にもつか、かご床に置くことがなくなり、点検時の作業性を向上でき、またより安全性を高めることができる。
【００３３】
（３）  なお、図４は、スライド機構３１を用いて、取手付き点検蓋１６ａを上下にスライドする構成としたが、例えば図５に示すごとく、点検蓋１６の左右の何れか一端側にヒンジ機構３２又は蝶番（図示せず）を取り付け、かつ、点検蓋１６の表面側に例えば錠付き取手３３を取り付ければ、保守点検員が鍵を用いて錠を開錠した後、取手３３をもち、ヒンジ機構３２に抗して図示矢印方向，つまり手前に引き出すように操作すれば、点検蓋１６を容易開けることができる。
【００３４】
この装置においても、保守点検時、保守点検員が点検蓋１６を手に持ったり、かご床に置くということなく作業がなくなるので、図４と同様に点検時の作業性を向上でき、またより安全性を高めることができる。
【００３５】
（４）  この実施の形態は、図６に示すように、乗りかご１１の乗場側対向面側に塞ぎ板３５を取り付け、かつ、塞ぎ板３５に対応する乗りかご内側に例えばかご操作パネル２３を設置した回動側板３６を設けた乗りかご１１が既に市場に出回っている。このような乗りかご１１は、かご操作パネル２３の点検時、回動側板３６を回動させて開けると、回動側板３６裏側からかご操作パネル２３を点検することが可能となるる。
【００３６】
そこで、このような乗りかご１１においては、塞ぎ板３５側に常時は点検蓋１６で閉塞されている点検口１５を設け、回動側板３６を閉じた時、乗りかご内から点検口１５を含む点検蓋１６が見えないようにする。
【００３７】
このような実施の形態にすれば、回動側板３６により点検口１５を含む点検蓋１６が完全に隠れるので、点検蓋や点検口へのいたづらを防ぐことができ、かご内の意匠を損なうことがなくなり、よって意匠性の向上に寄与する。
【００３８】
その他、本発明は、上記実施の形態に限定されるものでなく、その要旨を逸脱しない範囲で種々変形して実施できる。
【００３９】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００４０】
【図１】本発明に係るエレベータの乗場表示器点検装置の一実施の形態を説明する乗場ドア正面図。
【図２】本発明に係るエレベータの乗場表示器点検装置の一実施の形態を説明する乗場を含む乗りかごの横断面図。
【図３】本発明に係るエレベータの乗場表示器点検装置の一実施の形態を示す保守点検時の安全制御系を説明する図。
【図４】本発明に係るエレベータの乗場表示器点検装置の他の実施の形態を説明するかご内側から見た点検口の部分図。
【図５】本発明に係るエレベータの乗場表示器点検装置のさらに他の実施の形態を説明するかご内側から見た点検口の部分図。
【図６】本発明に係るエレベータの乗場表示器点検装置のさらに他の実施の形態を説明するかご内側から見た点検口の部分図。
【図７】従来の各階乗場表示器の点検状態を説明する図。
【図８】各階乗場に取り付けられている表示器を説明する図。
【符号の説明】
【００４１】
１…乗場、２…三方枠、３…乗場ドア、５（５ａ，５ｂ）…表示器、６…昇降路、１１…乗りかご、１２…側板、１４…かごドア、１５…点検口、１６，１６ａ…点検蓋、１７…蓋開閉センサー、２２…エレベータ制御盤、２３…かご操作パネル、２４…鍵付き点検用ボックス、２５…アップダウンスイッチ、３１…スライド機構、３２…ヒンジ機構、３３…錠付き取手、３５…塞ぎ板、３６…回動側板。
【図１】
2005247454.tif 000003
【図２】
2005247454.tif 000004
【図３】
2005247454.tif 000005
【図４】
2005247454.tif 000006
【図５】
2005247454.tif 000007
【図６】
2005247454.tif 000008
【図７】
2005247454.tif 000009
【図８】
2005247454.tif 000010